Podtech/llm-jp-corpus-v4-ja_patent huggingface dataset:
(57)【要約】【課題】多量の農竹を固さの異なる土壌に打込み、葡萄の苗を固定することは、毎年繰り返される必要な葡萄畑での作業である。単純ではあるが、数の多さと固い土壌への作業であることが、携わる者への身体的負担となる点、力の入れ方によっては細い農竹を変形させてしまう点など結果的に作業効率の悪さを招いてしまうこれらの問題点を解決するのが課題である。【解決手段】課題を解決する手段として、作業の負担軽減、農竹の変形防止になる補助工具の開発をする。細い農竹を面で支える筒状の金槌のイメージで筒部分に棒竹を差込み、上下させて鉄の重みを利用して打込み、作業時にかかる力の負担を軽減すると同時に、農竹へのダメージを減らす。【選択図】図１
2016215312.tif 000002
【特許請求の範囲】
【請求項１】
重さのある長めの単管パイプＡとそれよりも短めの鉄の棒Ｂを利用して、Ａの内径に合う外径のＢを差込み固定して一体化させ、棒竹にかかる力を集中させて上下することで、より小さい力で大きな力を加えることができると同時に、長さのあるパイプの空洞部分が、細長い農竹を支えて安定させることで不均等な力のかかり方による変形を少なくする。
【請求項２】
差し込んだ側に滑り止めの溝を施した長方形のプレートを取り付けることでヘッド部分の面積を大きくし、より強い力を加えたい場合に金槌などの併用作業を安定させるとともに、丸いパイプを転がりにくくし、収納の際には二本の釘に引っかけたり、ひもを巻いてフックに吊るしたりできるようにする。
【発明の詳細な説明】
【技術分野】
【０００１】
本発明は、農作業や園芸作業に使う棒竹を固い地面に打込む際にかかる力を軽減し作業を容易にするとともに、力の不均等による棒竹へのダメージを減らすための、簡単で使いやすい打込み補助具に関する。
【背景技術】
【０００２】
従来は、多数の棒竹を固い地面に、必要な角度を保ちながら手の感覚と力で差し込んでおり、力不足の場合は金槌等を使用して力を加えて打込む作業のため、その際の身体的負担と棒竹へのダメージがおこりやすかった。また、坂になっている土地では、筒状のものはころがりやすい。
【先行技術文献】
【非特許文献】
【０００３】
【非特許文献１】実開平０５−０１６１６３路面氷割用具
【発明の概要】
【発明が解決しようとする課題】
【０００４】
多量の農竹を固さの異なる土壌に打込み、ブドウの苗を固定する作業は、毎年必要な葡萄畑での作業である。単純な作業ではあるが、数の多さと固い土壌への作業であることが、携わる者への身体的負担となる点、力の入れ方によっては農竹を変形させてしまう点、これらの問題点の結果、作業効率の悪さも招いていることが、解決したい課題でる。
【課題を解決するための手段】
【０００５】
作業の負担軽減、農竹の変形防止になる補助工具を開発する。細い農竹が安定するように広い面で支える筒状の金槌のイメージで、筒部分に棒竹を差込み、上下させて鉄の重みを利用して打込むことで力の軽減を図る。単管パイプの内径サイズと合う鉄の棒を利用して、その一部を差込み固定し一体化させて約2キログラムの重量を確保する。少ない面積部分に集中して鉄の重みがかかるので、より小さい力での作業が期待できる。農竹をパイプの深さである面で支えるので、変形しにくくなる。誰もが安全に使いやすい単純な構造に防腐塗装をすることで、鉄の短所である錆びやすい点を補い、長年使用に耐えられるようにする。これらを解決することを特徴とする農竹打込み補助工具。（図１）
【発明の効果】
【０００６】
試作の補助工具は、長めの単管パイプに、内径の合う短い鉄の棒を差込み、固定して一体化させた簡単な構造のもので総重量が約２キログラムである。これで作業した結果、力のかかる部分を集中させて打込むことで、より少ない力で大きな力を加えることができ、作業者の身体的負担が軽減されたと同時に、長さのある空洞部分が、細長い棒竹を支えて安定させることで不均等な力のかかり方による変形が少なくなった。又、長方形のプレートを取り付けることによって坂のある場所での転がり防止とフックにかける収納が容易になる(図５）。
【図面の簡単な説明】
【０００７】
【図１】農竹を楽に打込む補助工具の全体図
【図２】斜視図
【図３】ヘッド部分の反対側からの俯瞰図
【図４】作業イメージ図
【図５】差込み固定部分に長方形プレートを取り付けるメリット図
【実施例】
【０００８】
多量の農竹を固さの異なる土壌に打込む作業は、葡萄畑で毎年繰り返される必要な基本動作であり、当社の自社農場において試したところ作業に携わる者の誰もが効率よく使えた。
【産業上の利用可能性】
【０００９】
棒竹を多量に打込む作業の必要な農作業や園芸作業などに使用する。また、だれにでも使いやすい単純な補助工具であるので、サイズを小さくすると、家庭菜園やガーデニングなど少量の棒竹を差込む際にも、身体的負担の軽減と棒竹へのダメージを減らすのに役立つ。
【符号の説明】
【００１０】
Ａ：単管パイプ
Ｂ：差し込み部分の鉄棒
Ｃ：固定部分にとりつける長方形の鉄プレート
Ｄ：空洞部分
【図１】
2016215312.tif 000003
【図２】
2016215312.tif 000004
【図３】
2016215312.tif 000005
【図４】
2016215312.tif 000006
【図５】
2016215312.tif 000007
(57)【要約】      （修正有）【課題】日本はもとより、全世界の課題である食糧の安定供給を持続しつつ、エネルギーの不足の緩和も計れるシステムを提供する。【解決手段】今までは化石燃料による環境破壊を解決すると言う名目のもとに、原子力に頼った発電をする傾向にあったが、水蒸気の発生を得るための窯を炊き口を階段状に並べて一体化し、燃焼性とその効率を高めることができる登り窯式農林産物蒸気発生器による発電をする事で、全世界的に安全が確保され、生産活動に邁進でき、世の中が明るくなる。【選択図】図１
2016080337.tif 000002
【特許請求の範囲】
【請求項１】
農林産物（米麦を含む）を燃料とする発電装置に於いて、水蒸気の発生を得るための窯を、炊き口を階段状に並べて一体化し、燃焼性とその効率を高める事。
【発明の詳細な説明】
【発明の詳細な説明】
【技術分野】
【０００１】  この発明は人類が地球上で発展して行く為の、食料とエネルギーの供給を安定化するためのシステムの一つである。
【背景技術】
【０００２】（１）    私たち人類は地球上の自然の恵みにより生命を受け、食料を受けて生活し、エネルギーを使って発展している。
（２）    当初のエネルギーは自然の物を発火させて食物を調理して食べる位であった。
（３）    それが発展して地下の埋蔵物を加工して使う化石燃料主体の時代を経て、その大半が電気になっている。
（４）    その電気を起こす源を化石燃料から原子力に移り現在があり、世の中が不安定になっている。
【発明が解決しようとする課題】
【０００３】  これは次のような欠点があった。
（イ）    食料に関しては、農地の開発、機械化の進歩等により需要と供給のバランスが崩れやすくなり、世の中を不安定化させている。
（ロ）    エネルギーに関しては、化石燃料の大量利用による、大気汚染を引き起こし、地球環境を危機的状態に貶めている。
（ハ）    原子力に関しては、必ず出る廃棄物の処理方法を初め、不測の事態に対する処置方法も確立されずに、世の中を不安にしている。
本発明は、これらの欠点を解決するために発明されたものである。
【課題を解決するための手段】
【０００４】  現在の地球上に於ける人類の発展を維持するために、農林産物の生産活動を進化させる事は重要であり、継続しなければならない。その事で生産される、余剰の産物を発電の原料とする事で、環境の改善と、世の中の不安を取り除き、生産活動を助長する。
【発明を実施するための形態】
【０００５】以下、本発明の実施の形態を説明する。
図面に書いた様に斜面を利用して炊き口を複数設けた登り窯で、水蒸気を発生させ、蒸気タービンを回して発電する仕組みである。
【発明の効果】
【０００６】  以下、本発明の効果について述べる。
（イ）    食料とエネルギーは、人類にとっては欠くべからざるものである。それがこの装置が稼働する事によって、正常にコントロールされる。
（ロ）    その結果、各々の労力が正常に認められ、世の中が正常なものとなる。
（ハ）    自然の無限の恵みの中に生きる人類が、無限の太陽エネルギーをキャッチし、無限のエネルギー需要に対する供給源となり得る一つのシステムである。
【図面の簡単な説明】
【図１】本発明の全体図  １．水入口  ２．空気穴  ３．燃料投入口  ４．水蒸気口  ５．大煙突
【図１】
2016080337.tif 000003
(57)【要約】      （修正有）【課題】入力軸の回転力を利用、増強板でトルクの増強をする。【解決手段】ベース６と、リング１にネジ７で一体になった入力板９を設け、入力板９に入力軸受８が固着される。リング１にネジ７で一体になった出力板２を設け、出力板２に出力軸受３が固着される。入力軸受８は、長い回転軸である入力軸５を回転自在に保持し、出力軸受３は回転軸である出力軸４を回転自在に保持する。入力軸５の中央付近に、リング１内で回転する入力アームが固着され、入力アームの先に設けられた軸穴は、リンク軸を回転自在に保持する。出力軸は、入力軸５と出力軸受３に回転自在に保持される。出力軸は、入力軸５の約半分の長さで、入力軸５と二重軸であり、出力アームが固着される。出力アームの先の軸穴と入力アームの軸穴を、リンク軸で回転自在に保持して結ぶことにより、増強板を設ける。【選択図】図１
2016080178.tif 000002
【特許請求の範囲】
【請求項１】
入力軸と、
出力軸と、
入力アームと、
出力アームと、
増強板を設けることを特徴とするトルク増強機。
【発明の詳細な説明】
【技術分野】
【０００１】  本発明はトルクの増強に関する。
【背景技術】
【０００２】  従来、トルク増強はネジ締め工具等がある。
【発明の概要】
【発明が解決しようとする課題】
【０００３】  任意の動力のトルクを増強する。
【課題を解決するための手段】
【０００４】  入力軸の回転力を利用、増強板で約１．５倍に自己増強することを特徴とする。
【発明の効果】
【０００５】  動力の小型化と省エネ等に利点がある。
【図面の簡単な説明】
【０００６】
【図１】  トルク増強機の外観図である。
【図２】  リンクの斜視図である。
【図３】  増強構成の側面図である。
【図４】  入力軸側の構成図である。
【図５】  出力軸側の構成図である。
【図６】  増強板の平面図である。
【図７】  増強板の側面図である。
【発明を実施するための形態】
以下、本発明の一実施例の形態を図に基づいて説明する。
【０００７】  図２は、図１に示すベース６が省略されたリング１が示され、このリング１にネジ７で一体になった入力板９を設け、入力板９に入力軸受８が固着。
またリング１に図示されていない、ネジ７で一体になった出力板２は、入力板９と同様、出力軸受３が固着している。
この入力軸受８は図３に示す、長い回転軸である入力軸５を回転自在に保持。
また出力軸受３は回転軸である出力軸４を回転自在に保持。
【０００８】  また図３の入力軸５の中央付近に、リング１内で回転する入力アーム１４が固着。
この入力アーム１４の先に軸穴１３を設け、この軸穴１３は図６、図７に詳細を示すリンク軸１７を回転自在に保持。
また入力軸５と出力軸受３に回転自在に保持され、入力軸５と二重軸である入力軸５の約半分の長さの出力軸４は、図３、図５等に詳細を示す出力アーム１２が固着。
【０００９】  この出力アーム１２の先に軸穴１１を設け、この軸穴１１でリンク軸１５を回転自在に保持。また出力アーム１２の軸穴１１と入力アーム１４の軸穴１３を結ぶ、図６、図７に詳細を示す、リンク軸１７とリンク軸１５が固着する増強板１６を設ける。
【００１０】  この簡単な構成で図示されていない任意の動力で図４の入力軸５に左回転の力を加えることで、リンク軸１７からリンク軸１５の方向に分力が生じ、これと短い入力アーム１４と長い出力アーム１２との長さの比からリンク軸１５に回転力が作用。この合力で出力アーム１２に入力軸５の約１．５倍のトルクが生じる。
【産業上の利用可能性】
【００１１】  この簡単な構成で自己増強することで、動力の小型化及び省エネ等に利用できる。
【符号の説明】
【００１２】  １  リング
２  出力板
３  出力軸受
４  出力軸
５  入力軸
６  ベース
７  ネジ
８  入力軸受
９  入力板
１０  ネジ穴
１１、１３  軸穴
１２  出力アーム
１４  入力アーム
１５、１７  リンク軸
１６  増強板
【図１】
2016080178.tif 000003
【図２】
2016080178.tif 000004
【図３】
2016080178.tif 000005
【図４】
2016080178.tif 000006
【図５】
2016080178.tif 000007
【図６】
2016080178.tif 000008
【図７】
2016080178.tif 000009
(57)【要約】      （修正有）【課題】映像制作において、ナレーション内容に合わせた効果的な映像編集が容易に行える装置を提供する。【解決手段】ナレーション原稿データから合成音声を生成し、映像編集装置の再生位置に同期して、予め登録されたアナウンサーやナレーターの読み上げ速度に合わせて読み上げ、同時に原稿を表示し、品詞ごとに強調する機能を実現し、編集者がナレーション内容に合わせた映像編集を容易に行うことができ、効果的な映画や放送番組の制作が可能となる。【選択図】図１
2016080928.tif 000002
【特許請求の範囲】
【請求項１】
テレビジョン放送番組や映画の制作において用いられる音声ナレーションを  原稿ファイルから合成音声を生成し映像編集装置に同期して読み上げ、同時に品詞ごとに強調表示する装置である。
【請求項２】
請求項１において、人名や地名など漢字の読み上げが困難な場合に、ふりがなを附加するが、本装置は、漢字にふりがなを附加する表示に対応し、かつ、ふりがなを読み上げることができる装置である。
【請求項３】
請求項１において、言語は日本語のみならず、英語等各国語に対応する装置である。
【請求項４】
請求項１、請求項２、請求項３において、テレビジョン放送や映画の制作のみならず、例えば企業紹介用映像等の業務用及び一般用の映像制作にも対応する装置である。
【発明の詳細な説明】
【技術分野】
【０００１】
本発明は、テレビジョン放送番組や映画の制作において用いられる音声ナレーション挿入に合わせた映像編集の効率化を可能にする技術に関する。
【背景技術】
【０００２】
汎用コンピュータを用いて、文字ファイルとして記述された原稿文章を音声合成して自然言語として再生する技術は確立されており広く普及している。
【０００３】
テレビジョン放送番組や映画でのナレーション、またはテレビジョン放送のニュース記事は、映像の編集と密接な関係があり、ナレーションに合わせた映像編集がより効果的なテレビジョン番組制作や映画制作の要点となっている。
【先行技術文献】
【特許文献】
【０００４】
音声合成装置、特許出願平４−１５９８４３
【発明の概要】
【発明が解決しようとする課題】
【０００５】
現状、番組編集担当者は獲得している感覚を駆使して映像を編集するか、自ら原稿を読み上げてニュース原稿の文字位置から編集構成を内容に合わせるなどして編集を行っており、経験や熟練を要するため必ずしも効率的ではない。
【０００６】
テレビジョン放送のニュース映像を編集する際には、ニュース原稿の総文字数とアナウンサーの読み上げ速度により映像完成パッケージの長さが決定され、映像の編集内容は、ニュース原稿の内容に沿った構成になることが望ましく、かつ効果的である。
【課題を解決するための手段】
【０００７】
ナレーションやニュース原稿を記述したファイルから、予め設定されたナレーターやアナウンサーの読み上げ速度値に合わせて、自動的に原稿を合成音声によって読み上げる機能を実現する。これにより実際のナレーターやアナウンサーのナレーションがなくとも効果的な映像編集を可能とする。また、再生動作に同期して、画面上で読み上げ位置を品詞ごとに強調表示する機能を附加することで、原稿内容に合わせた映像完成パッケージを容易かつ正確に素早く編集することが可能とする。
【０００８】
ニュース原稿を、予め設定されたアナウンサーの読み上げ速度に合わせてニュース完成パッケージの総尺を計算し、編集機の再生または頭出し位置に合わせてニュース原稿を合成音声で自動的に読み上げる機能を実現する。
【発明の効果】
【０００９】
本発明では、ナレーション原稿内容に合わせた映像完成パッケージを容易かつ正確に素早く編集することが可能となる。複数の原稿の読み上げ機能を実現することで、ナレーション番組などの映像完成パッケージに対応可能となり、幅広い番組編集作業の効率化に寄与する。
【００１０】
各々の原稿データごとに番組上での開始位置を設定する機能を持たせることで、ナレーションが無い部分にも対応可能になる。各原稿データごとにアナウンサー名やナレーター名を設定する機能を有することで多様な番組構成に対応可能となる。また読み上げ言語は、日本語以外に英語等各国語に対応することで多くの国の番組編集に対応可能となる。
【図面の簡単な説明】
【００１１】
【図１】図１は本発明を実現するナレーション原稿自動読み上げ装置の構成図である。
【実施例】
【００１２】
原稿データを、読み上げ速度に合わせた合成音声データに変換し、編集機の音声トラックにロードすることで、映像と同期して編集が可能となる。合成音声データそのものは、完成する番組や映像には不要なので、最終的に消去する必要がある。そこで、原稿読み上げ用の再生機を用意し、編集機の再生または頭出し位置に同期して原稿を読み上げる。さらに同時に同期して品詞ごとに強調表示する機能を附加することで、原稿に合わせた効果的な映像編集が可能となる。ナレーターやアナウンサーごとに読み上げ速度は異なるが、予めナレーターやアナウンサーごとの読み上げ速度を登録し、原稿ごとに選択し、対応した速度で読み上げることで、より実際に近いナレーションを実際することができる。
さらに、放送番組やニュース、あるいは映画では、台詞や雑音などナレーションが入らない部分があるが、原稿を複数に分けて読み上げる機能、原稿ごとに読み上げ者の指定する機能、読み上げの先頭を編集機の再生位置を記憶し、かつその再生位置に同期してナレーション読み上げを開始させる機能を実現することで可能となり、ニュース、テレビ番組、映画などの映像編集がより効果的でより早く容易に可能となる。
本機能は、日本語や英語など各国語に対応することで、世界中の映像制作に対応できる。日本語原稿では、人名や地名など漢字の読み上げが困難な場合に、ふりがなを附加するが、本装置は、漢字にふりがなを附加する表示に対応し、かつ、ふりがなを読み上げることができる。
図１に本発明を実現するナレーション原稿自動読み上げ装置の構成図を示す。
【符号の説明】
【００１３】
０１        ニュース原稿、ナレーション原稿を含むファイル
０２        読み上げスピードが設定されたアナウンサー、ナレーター情報を含むファイル
０３        映像編集装置である編集アプリケーション・プログラム
０４        本装置のアプリケーション・プログラム
０５        汎用コンピュータの表示部
０６        汎用コンピュータの入力部
０７        合成音声の発生部
０８        スピーカー
【図１】
2016080928.tif 000003
(57)【要約】【課題】  シロッコファンの翼に付着したホコリを短時間で除去する換気扇翼掃除器を提供する。【解決手段】  柄と、その先に伸びる板状のヘラから成り、ヘラは薄く細長く、ヘラの先端域は板面の片側方向へ、わずかに折れ曲がり、かつ、曲がった方向側の面が膨らみ、その裏側が凹んだ曲面を成し、この様に形成された先端域をヘラ擦掃片と呼称し、このヘラ擦掃片と柄の間までのヘラ部分をヘラ主杆と呼称するのであり、柄と柄から伸びるヘラ主杆と、その先端に形成されたヘラ擦掃片とが一体に構成されていることを特徴とする換気扇翼掃除器である。【選択図】図１
2016175057.tif 000002
【特許請求の範囲】
【請求項１】
柄と、その先に伸びる板状のヘラから成り、ヘラは薄く細長く、ヘラの先端域は、板面の片側方向へ、わずかに折れ曲がり、かつ、曲がった方向側の面が膨らみ、その裏側が凹んだ曲面を成すが、この様に形成された先端域をヘラ擦掃片と呼称し、このヘラ擦掃片と柄の間までのヘラ部分をヘラ主杆と呼称し、柄と柄から伸びるヘラ主杆とヘラ主杆の先端に形成されたヘラ擦掃片とが一体に構成されていることを特徴とする換気扇翼掃除器。
【発明の詳細な説明】
【技術分野】
【０００１】  天井換気扇等に使用されている換気扇の羽根はシロッコファンである。
シロッコファンは多翼扇であり、その一枚一枚の翼は効率よく空気を吸い込むため、丸みを有しており、その丸みの部分は換気扇の使用と共にホコリが付着する。
このホコリを除去する道具に関するものである。
【背景技術】
【０００２】  従来、マイナスドライバーやブラシ等を利用して翼に付着したホコリを除去していた。
【発明の概要】
【発明が解決しようとする課題】
【０００３】  そのために次のような問題があった。
シロッコファンは多翼扇であるため、たくさんの翼があり、その一枚一枚の翼にしつこく付着したホコリを除去するには多くの時間を要していた。
本発明は、この作業を短時間で行う手段を提供するものである。
【課題を解決するための手段】
【０００４】  柄と、その先に伸びる板状のヘラからなり、ヘラは薄く細長く、ヘラの先端域は板面の片側方向へ、わずかに折れ曲がり、かつ、曲がった方向側の面が膨らみ、その裏側が凹んだ曲面を成す。
このように形成された先端域をヘラ擦掃片と呼称し、このヘラ擦掃片と柄の間までのヘラ部分をヘラ主杆と呼称する。
柄と柄から伸びるヘラ主杆と、ヘラ主杆の先端に形成されたヘラ擦掃片とが一体に構成されていることを特徴とする換気扇翼掃除器である。
【発明の効果】
【０００５】  ヘラ擦掃片を一枚一枚の翼の円弧状に丸く凹む細長い溝状の面に接触させ、翼に添って軽くこするように動かすことで、翼に付着したしつこいホコリが除去できる。
【図面の簡単な説明】
【０００６】
【図１】  本発明の斜視図である。
【図２】  本発明の使用状態における実施例を示した斜視図である。
【発明を実施するための形態】
【０００７】  以下、本発明の実施の形態について説明する。
本器は柄（１）と、その先に伸びる板状のヘラ（２）から成り、ヘラ（２）は薄く細長く、ヘラ（２）の先端域は板面の片側方向へ、わずかに折れ曲がり、かつ、曲がった方向側の面が膨らみ、その裏側が凹んだ曲面を成す。
この様に形成された先端域をヘラ擦掃片（４）と呼称し、このヘラ擦掃片（４）と柄（１）の間までのヘラ部分をヘラ主杆（３）と呼称する。
柄（１）と柄（１）から伸びるヘラ主杆（３）の先端に形成されたヘラ擦掃片（４）が一体に構成されていることを特徴する換気扇翼掃除器である。
本器の使用はヘラ擦掃片（４）をシロッコファン（５）の翼（６）の丸みに接触させ翼（６）の凹みに添って平行に動かすと翼（６）に付着したホコリが除去される。
このとき、ヘラ主杆（３）とヘラ擦掃片（４）の間に空間ができ、翼（６）に付着したホコリの除去を容易にしている。
この様に本器の使用により翼（６）全体のホコリが短時間で除去できる。
【符号の説明】
【０００８】  １  柄
２  ヘラ
３  ヘラ主杆
４  ヘラ擦掃片
５  シロッコファン
６  翼
【図１】
2016175057.tif 000003
【図２】
2016175057.tif 000004
(57)【要約】【課題】名刺入れから名刺を一枚づつ簡単に取り出せるようにする。【解決手段】名刺入れの収納部に入れた引き出し板の上に載っている名刺を一枚づつ開口部から取り出せるようにする。【選択図】図１
2016175392.tif 000002
【特許請求の範囲】
【請求項１】
名刺を入れる収納部に引き出し板（５）を入れ、これをスライドさせて収納部の一端に設けた開口部（３）から一枚づつ取り出せるようにした名刺入れ。
【発明の詳細な説明】
【技術分野】
【０００１】この発明は名刺入れに関するものである。
【背景技術】
【０００２】名刺を１枚づつ取り出す案は公報にあるものの確実に取り出せるものは見当たらない。
【先行技術文献】
【特許文献】
【０００３】
【発明の概要】
【発明が解決しようとする課題】
【０００４】名刺入れから１枚づつ取り出せるようにする。
【課題を解決するための手段】
【０００５】名刺を入れる収納部に引き出し板（５）に載せた１枚を出すための開口部（３）を設け、引き出し板（５）をスライドさせて開口部（３）から出すようにする。
【発明の効果】
【０００６】名刺入れから１枚づつ取り出せる。
【図面の簡単な説明】
【０００７】
【図１】収納部の斜視図である。
【図２】引き出し板の斜視図である。
【図３】スライド板の正面図である。
【図４】スライド板の平面図である。
【発明を実施するための形態】
【０００８】本案は名刺を一枚づつ取り出せるようにした名刺入れである。名刺を入れる収納部の長手方向の一端に引き出し板に載せた一枚がようやく出る開口部（３）を設け、底板（１）の後方よりの中央部に長穴のスライド溝（４）を設け、収納部に開閉するように蓋（２）を設ける。引出きし板（５）は開口部（３）から出したとき名刺だけを掴めるように短くし、上面は名刺が滑らないように滑り止め面（６）にするため薄いゴムなどを貼る。スライド板（７）の上部にスライド溝（４）に入れるための突出部を設け、下面には指の滑り止めを設ける。底板（１）の上に引き出し板（５）を載せ、底板（１）の裏からスライド板（７）の突出部をスライド溝（４）へ入れ、引き出し板（５）に接着する。使用するときは引き出し板（５）を開口部（３）へスライドさせると一枚だけが出てくる。
本案は以上に限らず、開口部（３）を短方向の一端に設けてもよく、そのときはスライド溝（４）の方向も短方向にする。滑り止め面（６）は小さいざらついたものならよく、貼り付けは一部だけでもよく、無くてもよい。また、スライド板（７）を使わずにスライド溝（４）の位置に来る引き出し板（５）の裏面の一部に滑り止めを設けてもよい。
【符号の説明】
【０００９】１  底板
２  蓋
３  開口部
４  スライド溝
５  引き出し板
６  滑り止め面
７  スライド板
８  滑り止め
【図１】
2016175392.tif 000003
【図２】
2016175392.tif 000004
【図３】
2016175392.tif 000005
【図４】
2016175392.tif 000006
(57)【要約】      （修正有）【課題】夏季に於ける乳幼児の乳母車使用時の対策は、地表より隔離する事が有効で、その為には乳幼児の保持枠の支持位置の置換方式が望ましい。【解決手段】乳幼児の保持枠３が連動管４、支持索５及び留ピン６が連動して、１の車体基軸に設けた複数の留穴７とで、保持枠３の固定位置を置換可能とする機構を提供する。車両乗車時には保持枠３の先端を持ち上げると４の連動索は収斂すると供に２’の補助脚も回動して、１の車体基軸と一体となり床面積の減少が期待される。【選択図】図１
2016175628.tif 000002
【特許請求の範囲】
【請求項１】
、幼児の保持枠３が連動管４と支持索５及び留ピン６等で連動して車体基軸１に設けた複数の留穴７とで、保持枠の固定位置の位置置換が可能とする機構。
【発明の詳細な説明】
【技術分野】      乳幼の保護
【背景技術】      保護と快適さの提供    株）コンビ、アップリカ、ピジョン
【発明の概要】
【発明が解決しようとする課題】    既販の乳母車は、原則として低床式の為、夏季には路面温度が摂氏３５度近辺に達し、今後更に温暖化の傾向が指摘されている。  乳幼児の地表からの隔離で保護と快適さの提供する。
【問題を解決しようとする為の手段】
乳母車のの使用実態を解明し、簡易操作と機能で幼児の保護と快適さを持つ幼児車を考案した。
本発明の実施例について図１で説明する。
１は車体基軸で２は前脚、２”は補助脚で回動する。、３の乳幼児の保持枠は４の連動管及び５の支持索と６の留ピンを備えて連動し、１の車体基軸に設けた複数の留穴７とで固定位置を選択できる。
次いで使用実態について説明する。  使用時の季節、目的により保持枠の固定位置を地表より約４０，６０，８０センチが適当と判断し、図面は地表より６０センチを表示した。夏季の、高温時には６の留ピンで固定位置を解放し保持枠３を４の連動管と共に上方に持上げれば約８０センチ位置で固定が出来る。この際、幼児の移動は不要となる。
車両乗車時には保持枠３の先端を持ち上げると４の連動索は収斂すると供に２”の補助脚も回動して、１の車体基軸と一体となり床面積の減少が期待される。
【発明の効果】
夏季には地表からの隔離長が保持され、多段化の採用で低位置では花壇、動物等の触合いが見込まれ、冬期には寒気から保護されると供に、操作に就いては保護者の負担軽減が可能となる。
【図面の簡単な説明】
【図１】  側面図
【符号の説明】１、      車体基軸        ２，      前脚
２”      補助脚          ３、      保持枠
４、      連動管          ５，      支持索
６、      留ピン          ７、      留穴
【図１】
2016175628.tif 000003
(57)【要約】      （修正有）【課題】地震時に建物損傷を減少させる為、アンカーボルトに硬質ゴムを設けた防震アンカーを提供する。【解決手段】建築物の基礎と土台を緊結するアンカーボルト１に、座金・ナット間に土台上硬質パッキン２を、土台と基礎との間に土台下硬質パッキン３を、更に、基礎の上部中に押込みゴム４を設けた、各硬質ゴムつきのアンカーボルトとすることにより、構造上問題のない３ヵ所に配置することにより防振性を保有させる。【選択図】図２
2016031014.tif 000002
【特許請求の範囲】
【請求項１】
各機能を持った硬質ゴムを３ヵ所設けた土台と基礎を緊結するアンカーボルト。
【発明の詳細な説明】
【技術分野】
【０００１】この発明は建築物の基礎と土台を緊結するアンカーボルトに各形状の硬質ゴムを３ヵ所設けるアンカーボルトに関するものである。
【背景技術】
【０００２】従来アンカーボルトは座金・ナットのみで緊結されていた。
【先行技術文献】
【特許文献】
【０００３】
【特許文献１】
【発明の概要】
【発明が解決しようとする課題】
【０００４】これは次のような欠点があった。
従来アンカーボルトによる緊結は防振性がなく建物損傷につながることが多かった。本発明は以上のような欠点を減少するためになされたものである。
【課題を解決するための手段】
【０００５】アンカーボルト（１）の間に各形状の硬質ゴム（２）（３）（４）を設ける。
本発明は以上の構成よりなる防震アンカーである
【発明の効果】
【０００６】アンカーボルトに構造上問題のない硬質ゴム３ヵ所設けることにより土台への振動が減り建物損傷が減少する。
【図面の簡単な説明】
【０００７】
【図１】本発明の側面図である。
【図２】本発明の断面図である。
【発明を実施するための形態】
【０００８】以下、本発明を実施するための形態について説明する。
基礎と土台を緊結するアンカーボルト（１）に各機能を持った硬質ゴムを３ヵ所［土台上部（２）、土台下部（３）、基礎埋込み（４）］を設け防震とする。本発明は以上のような構造である。
【符号の説明】
【０００９】１  アンカーボルト
２  土台上硬質パッキン
３  土台下硬質パッキン
４  埋込みゴム
【図１】
2016031014.tif 000003
【図２】
2016031014.tif 000004
(57)【要約】      （修正有）【課題】どこの場所にでも移動、設置出来る墓を提供する。【解決手段】箱型１の上に、六角又は四角柱の墓標２及び、左右に花入れ３を設け、中に骨のかわりに氏名、又は戒名などが個別に入るようにする。【選択図】図１
2016031015.tif 000002
【特許請求の範囲】
【請求項１】
墓の役目をはたし、どこの場所にでも移動、設置。形は宗派により自由に変えることが出来る、移動墓。
【発明の詳細な説明】
【技術分野】
【０００１】この発明は、どこにでも移動出来る、移動墓に関するものである。
【背景技術】
【０００２】従来墓は動かないものであったが、高令化が進み、墓参り出来ない人様
【先行技術文献】
【０００３】
【特許文献１】
【非特許文献１】
【発明の概要】
【発明が解決しようとする課題】
【０００４】これは次のような欠点があった。
（イ）墓は動かないから出向く。しかし高令で出向けない。
（ロ）後つぎがいなくなる心配などがある。
本発明は以上のような欠点をなくすためになされたものである。
【課題を解決するための手段】
【０００５】墓石のかわりに、六角又は四角柱のもの、左右に花入れ、いずれもネジの差し込みになっているさらに下側は箱型になっていて、中に骨のかわりに氏名、又は戒名などが個別に入るように創られている。
本発明は以上の構成よりなる移動出来る墓である。
【発明の効果】
【０００６】（イ）墓参りが遠くに行かなくても出来る。
（ロ）庭、室内、ベランダ、どこにでも置くことが出来る。
（ハ）廃棄処分が簡単である。
【図面の簡単な説明】
【０００７】
【図１】本発明の正面図である。
【図２】本発明の中側である。
【発明を実施するための形態】
【０００８】以下、本発明を実施するための最良の形態について説明する。
箱型（１）の上に、六角柱の墓標（２）花入れ（３）を設ける。（図２）のように、箱型を開けると骨つぼ風、円型入れ物があり、ここに名前を収納する。
本発明は以上のような構造である。
これを使用するときは、各庭に半分埋める、又は部屋に置く、ベランダに置くなど、自由に近くに置き、いつでも墓参りが出来る。
【符号の説明】
【０００９】１、骨つぼ風箱、墓標下部、
２、墓標
３、花入れ
４、骨つぼ入れ風容器
【図１】
2016031015.tif 000003
【図２】
2016031015.tif 000004
(57)【要約】      （修正有）【課題】ベランダなどの窓につけた網戸について、網戸の網が破られても侵入者を防いで安心できる網戸を提供する。【解決手段】メッシュパネル２は熔接金網で鉄やステンレス線を縦線と横線を直角に配列させ、交わった点を電気抵抗熔接し線径はメッシュ部約３ｍｍ外枠約６ｍｍ、メッシュピッチ５０ｍｍで破壊や侵入しにくい構造とし網戸１にメッシュパネル２を熔接・機械的継手・ビス止めなどで張り合わせ防犯性を強化する。【選択図】図１
2016031011.tif 000002
【特許請求の範囲】
【請求項１】
網戸（１）にメッシュパネル（２）を重ねて張り合わせた構造にして防犯機能を付加したことを特徴とする。
【発明の詳細な説明】
【技術分野】
【０００１】  本発明はベランダなどの窓につけた通風・防虫用網戸は防犯上不安がある、メッシュパネルを張り合わせた防犯を強化した網戸を提供する。
【背景技術】
【０００２】  従来、ベランダなどの窓につけた網戸は防犯面では無防備である。
【発明の概要】
【発明が解決しようとする課題】
【０００３】  従来の網戸は防犯には無防備である、網戸自体が開閉されないようにロックするくらいの方法しかない。
【課題を解決するための手段】
【０００４】  網戸（１）にメッシュパネル（２）を重ねて張り合わせた構造にして防犯機能を付加した。
【発明の効果】
【０００５】  網戸の網が破られても張り合わせたメッシュパネルが侵入者を防いで安心できることによる通風は室温を外気温に近づけ快適な室内環境が保てクーラーの使用を減少できることにより省エネルギーに大いに貢献するとともにクーラーによる体調不良も減り、夏季に安心して窓を開けて寝られれば熱中症患者も減る。
【図面の簡単な説明】
【０００６】
【図１】  本発明の分解図である。
【図２】  本発明の側面図である。
【発明を実施するための形態】
【０００７】  網戸（１）はステンレス製の枠に網を張った扉の一種で虫の室内への侵入を防ぐのと通風のための建具である、メッシュパネル（２）は熔接金網で鉄やステンレス線を縦線と横線を直角に配列させ、交わった点を電気抵抗熔接し線径はメッシュ部約３ｍｍ外枠約６ｍｍ、メッシュピッチ５０ｍｍで破壊や侵入しにくい構造とし網戸（１）にメッシュパネル（２）を熔接・機械的継手・ビス止めなどで張り合わせ防犯性を強化した。
【実施例】
【０００８】  本発明の防犯網戸をとりつけ市販の網戸ロック、窓ロック等の錠をつけ更にセンサーライト、センサーアラーム等の人感センサーで防犯を徹底できる仕組みができることにより安心して通風が確保できる。
【符号の説明】
【０００９】１、網戸
２、メッシュパネル
【図１】
2016031011.tif 000003
【図２】
2016031011.tif 000004
(57)【要約】【課題】タイムリーな結束を可能とする電線・ケーブルを提供する。【解決手段】結束機能付ケーブル１０は、シース３に一体化された結束部材としての結束カバー５を備える。【選択図】図１
2016031787.tif 000002
【特許請求の範囲】
【請求項１】
結束部材を備えた電線・ケーブル。
【請求項２】
前記結束部材は、前記電線・ケーブルの絶縁体又はシースに一体成型されたものであることを特徴とする請求項１に記載の電線・ケーブル。
【請求項３】
前記結束部材は、前記電線・ケーブルの絶縁体又はシースに後付けで取り付けられたものであることを特徴とする請求項１に記載の電線・ケーブル。
【請求項４】
前記結束部材は、前記電線・ケーブルの全長にわたって設けられていることを特徴とする請求項１〜３のいずれか１項に記載の電線・ケーブル。
【請求項５】
前記結束部材は、前記電線・ケーブルの長手方向に間隔をあけて複数設けられていることを特徴とする請求項１〜３のいずれか１項に記載の電線・ケーブル。
【発明の詳細な説明】
【技術分野】
【０００１】
本発明は、結束部材を備えた電線及びケーブルに関する。
【背景技術】
【０００２】
複数本のケーブルを結束する時は、結束テープや結束バンド等の付属品を準備してから結束が行われる。例えば、結束バンドを使用して結束するものとして、特許文献１に記載のものがある。
【先行技術文献】
【特許文献】
【０００３】
【特許文献１】特開２０１１−５０１３９号公報
【発明の概要】
【発明が解決しようとする課題】
【０００４】
しかし、結束バンド等の付属品を準備してからの結束ではタイムリーな結束が出来にくい、という問題がある。また、ケーブルが長尺の場合には、適正な結束間隔にて結束バンド等で結束する必要がある。
【０００５】
そこで、本発明の目的は、タイムリーな結束を可能とする電線及びケーブルを提供することにある。
【課題を解決するための手段】
【０００６】
本発明は、上記目的を達成するために、下記の電線及びケーブルを提供する。
【０００７】
［１］結束部材を備えた電線・ケーブル。
［２］前記結束部材は、前記電線・ケーブルの絶縁体又はシースに一体成型されたものであることを特徴とする前記［１］に記載の電線・ケーブル。
［３］前記結束部材は、前記電線・ケーブルの絶縁体又はシースに後付けで取り付けられたものであることを特徴とする前記［１］に記載の電線・ケーブル。
［４］前記結束部材は、前記電線・ケーブルの全長にわたって設けられていることを特徴とする前記［１］〜［３］のいずれか１つに記載の電線・ケーブル。
［５］前記結束部材は、前記電線・ケーブルの長手方向に間隔をあけて複数設けられていることを特徴とする前記［１］〜［３］のいずれか１つに記載の電線・ケーブル。
【発明の効果】
【０００８】
本発明によれば、タイムリーな結束を可能とする電線及びケーブルを提供することができる。
【図面の簡単な説明】
【０００９】
【図１】本発明の実施の形態に係るケーブルの通常使用時を示す断面斜視図である。
【図２】本発明の実施の形態に係るケーブルの結束前の状態を示す断面斜視図である。
【図３】本発明の実施の形態に係るケーブルの結束後の状態を示す断面斜視図である。
【発明を実施するための形態】
【００１０】
本発明の実施の形態に係る電線・ケーブルは、結束部材を備えたことを特徴とする。以下、図面を参照して本発明の実施の形態に係るケーブルの一例について説明するが、電線の場合についても同様に適用できる。
【００１１】
図１は、本発明の実施の形態に係るケーブルの通常使用時を示す断面斜視図である。
【００１２】
結束機能付ケーブル１０は、結束部材としての結束カバー５を備える。ケーブルの通常使用時においては、図１に示されるように、結束カバー５は折り畳まれ、ケーブル４に巻き付けられている。結束カバー５の巻き付けを固定する方法としては、粘着剤の塗布、粘着テープ等、種々の方法が可能であるが、着脱可能な粘着強度であることが好ましい。
【００１３】
結束部材としての結束カバー５は、その両端部がケーブル４の長手方向に沿ってシース３に一体化されていればよく、例えば一体成型されたものである。図１に示すように、シース３に後付けでその両端部を融着、あるいは接着剤等により取り付けた構成であってもよい。電線の場合においては、結束部材としての結束カバーは、最外層の絶縁体に一体成型や後付け等によりその両端部が一体化される。
【００１４】
結束部材としての結束カバー５は、図１に示されるように、ケーブル４の全長にわたって設けられていることが好ましいが、これに限られず、ケーブル４の長手方向に間隔をあけて短冊状の結束カバーが複数設けられていてもよい。間隔は一定間隔でも不規則間隔でもよいが、一定間隔であることが好ましい。
【００１５】
結束部材としては、結束カバー５に限られず、結束機能を有するものであればよい。例えば、結束テープ等である。
【００１６】
結束部材の材質も特に限定されるものではない。絶縁体やシースに使用されている材料からなることが好ましい。その他、布なども使用できる。薄くて丈夫な材質からなることが好ましく、ゴムのように伸縮する材質であってもよい。一体成型の場合には、絶縁体やシースと同材料である。
【００１７】
本発明は、あらゆる電線・ケーブルに適用可能である。例えば、図１では、汎用の材料、例えば、純銅や錫めっき銅等からなる導体１の外周に被覆された絶縁層２を備えた電線を２本撚り合わせ、その外周に押出被覆されたシース３を備えるケーブル４を用いている。導体１は、１本である場合に限られず、複数本の素線を撚合せたものであってもよい。電線は単芯でもよく、二芯以外の多芯撚り線であってもよい。シース３を単層で構成してもよく、また、多層構造とすることもできる。
【００１８】
次に、複数本のケーブルの結束方法（手順）について説明する。
【００１９】
図２は、本発明の実施の形態に係るケーブルの結束前の状態を示す断面斜視図であり、図３は、本発明の実施の形態に係るケーブルの結束後の状態を示す断面斜視図である。
【００２０】
まず、図１に示すように巻き付けられていた結束カバー５を、図２のように広げ、他のケーブル６を挿入できるスペースを確保する。その後、当該スペースに他のケーブル６を挿入することで複数本のケーブルが結束される。図２〜３では２本の場合について説明したが、２本に限らず、３本以上を結束できるように挿入スペースを広げてもよい。
【００２１】
本実施の形態によれば、結束バンド等の付属品が無くても、結束可能であり、その準備が必要ないため、結束したいときにタイムリーに結束できる。
【００２２】
対象製品としては、電線・ケーブル類があるが、その他の種々の製品、例えばホース類等にも適用できる。
【００２３】
なお、本発明は、上記実施の形態に限定されず種々に変形実施が可能である。
【符号の説明】
【００２４】
１：導体、２：絶縁層、３：シース、４，６：ケーブル
５：結束カバー、１０：結束機能付ケーブル
【図１】
2016031787.tif 000003
【図２】
2016031787.tif 000004
【図３】
2016031787.tif 000005
(57)【要約】【課題】  右綴じ縦組みの漫画を横組みの外国語に翻訳するには左綴じに綴じ直さなくてはならない。従来では原稿を左右反転したりコマの並びを入れ替えたりしているが、これをするとストーリーに支障をきたしたり誌面のグラフィックデザインが損なわれてしまう。  右綴じのままでテキストだけ横組みにすると視線の自然な流れに逆行し目の疲れ等の懸念がある。【解決手段】  右綴じの日本の漫画を右綴じのままで横組みの言語に翻訳する手段として、その表記を時計回りに４５度前後傾けた。【選択図】図２
2016031752.tif 000002
【特許請求の範囲】
【請求項１】
右綴じ縦組み文字の漫画を右綴じのままで横組みの外国語に翻訳するための時計回りに４５度前後傾ける表記法。
【発明の詳細な説明】
【技術分野】
【０００１】  本発明は、右綴じ漫画の外国語表記の方法に関する
【背景技術】
【０００２】  日本の漫画のテキストは縦組みが一般的である。従って、書籍に綴じる場合は右綴じになる。英語等の外国語では縦組みが出来ないため、日本の漫画を外国語版に翻訳して出版する場合は左綴じにする必要がある。従来の左綴じの翻訳漫画では、漫画の原稿を左右反転する方法とコマ割りの順番を入れ替える方法で左綴じにしている。しかし、最近では右綴じのままで翻訳漫画を海外で出版するケースも増えている。ＭＡＮＧＡというジャンルとしてＣＯＭＭＩＣＳとは差別化する試みである。
【発明の概要】
【発明が解決しようとする課題】
【０００３】  右綴じの日本の漫画の誌面を反転する方法での左綴じに綴じ直した翻訳書籍の場合、登場人物の特徴が左右反転してしまうため、ストーリーに支障をきたす場合があり、また、漫画家の意図が正しく読者に伝わらない。
また、漫画の誌面を構成するコマ割りのコマの順番を入れ替える方法での左綴じに綴じ直した翻訳書籍の場合、コマの絵が視線誘導する方向とコマの進む方向が一致しなくなるためグラフィックデザインとしての構成が狂い、漫画家の誌面構成のデザイン性が崩壊する。
右綴じのままで翻訳された漫画は、各ページの誌面の外見は左綴じのＣＯＭＭＩＣＳと同じである。テキストは左から右へ読むにも関わらず、コマを逆方向に追うのは視線の自然な流れに反するため、左綴じの書物に慣れた外国人にとって大変に読みにくく、目の疲れ等の懸念もある。
【課題を解決するための手段】
【０００４】  上記課題を解決するために、右綴じの日本の漫画を右綴じのままで横組の言語に翻訳する手段として、テキストの表記を時計回りに４５度前後傾けた。
【発明の効果】
【０００５】  本発明は次のような効果を奏する。
請求項１に記載されている表記法によって右綴じのまま翻訳された漫画の誌面では、書籍を反時計回りに４５度前後傾けて読む事になる。その結果、誌面の右上角が最上部となり各コマ内で上から下へ向かってテキストを読み進める流れが生ずる。また、コマの並びも右に配置されているものが左に配置されているものよりも上部になるため、上から下へコマを追う流れが生ずる。その結果、横組みのテキストであっても、右綴じのままで自然に正しい方向に読み進める事ができるようになった。
【図面の簡単な説明】
【０００６】
【図１】  右綴じのままで従来の表記による翻訳漫画の誌面である。
【図２】  本発明の表記法での翻訳漫画の誌面である。
【発明を実施するための形態】
【０００７】  右綴じ横組みの漫画のテキスト（１）を（２）のように時計方向に４５度傾ける。キャプション（３）は本文とは異なりコマの絵の説明にすぎないので傾けなくても良い。
【符号の説明】
【０００８】１  テキストを水平に表記した右綴じ漫画のテキスト
２  本発明の表記法による右綴じ漫画のテキスト
３  キャプション
【図１】
2016031752.tif 000003
【図２】
2016031752.tif 000004
(57)【要約】【課題】  四角のボルトに一つの穴を設けた一つ穴式四角ボルトを提供する。【解決手段】四角ボルトの回転体に一つの穴で完全に固定した四角ボルトに穴を一つ設けたことが特徴である。【選択図】図２
2016031147.tif 000002
【特許請求の範囲】
【請求項１】
四角のボルトに一つの穴を設けた一つ穴式四角ボルト。
世界をのぞく日本国内で工業の盛んな日本を主軸として貢献をしたい。
【発明の詳細な説明】
【技術分野】
【０００１】この発明は、四角ボルトに一つの穴を設けた一つ穴式四角ボルトに関するものである。
【背景技術】
【０００２】従来、ボルトは、四角形と一つ穴とは別々になっていた。
【先行技術文献】
【特許文献】
【０００３】
【特許文献１】
【発明の概要】
【発明が解決しようとする課題】
【０００４】これは次のような欠点があった。
（イ）ボルトを長い間使用すると磨り減りが多くあった。
（ロ）ボルトのネジの痛みや折れ曲がりなどがありました。
本発明は、以上のような欠点をなくすためになされたものである。
【課題を解決するための手段】
【０００５】四角ボルトに緩やかな隔たりを四隅に儲け、それに一つの穴を設けた一つ穴式四角ボルトである。
本発明は、以上の構成よりなる一つ穴式四角ボルトである。
【発明の効果】
【０００６】四角ボルトに四隅の隔たりを設けた、上に一つ穴でキッチリと固定をして確実にグリップをし強い荷重に耐えるようし、四角の方は薄い頑丈に出来た鉄板である。
歯車のように回転をし、しかも、棒を上下させて行うボルトであるので使うのに何らさしつかえない。
【図面の簡単な説明】
【０００７】
【図１】  本発明の平面図である。
【図２】  本発明の側面図である。
【発明を実施するための形態】
【０００８】以下、本発明を実施するための形態について説明する。
四角のボルトを一つの回転をする歯車のように行い、磨り減りを少なくする為に鉄板の表面を非常に硬く丈夫にしたボルトにして、一つの穴で完全に固定をして行う
工業部品に扱われる発明品であります。そのほか、エンジンの要素を兼ね備えた品には持って来いの発明品であります。
本発明は以上のような構成よりなるものである。
これを使用するときは、食品加工、製造関連に是非使用されるにちがいありません。どのような、ぶるいに使用されるにも安心してご使用いただけます。
【符号の説明】
【０００９】図１  平面図
図２  側面図
【図１】
2016031147.tif 000003
【図２】
2016031147.tif 000004
(57)【要約】      （修正有）【課題】器具より水道管側への逆流入を阻止する分岐管を提供する。【解決手段】水道水入水口、水道水出水口４を有した水管の側面に分岐した出水口に水道水開関コック９を設置した３通分岐管の前水道水入水口７−３と水道水供給管６との接続部内面に逆流防止弁、原水入水孔、原水入水孔先端７−２に逆止弁座を設けて逆止弁を装填した逆止弁付分岐管。【選択図】図１３
2016031145.tif 000002
【特許請求の範囲】
【請求項１】
水道水を供給する水管のネジと螺合する水道水入水口、水道水を出水する水道水出水口、前記水道水入水口と水道水出水口との間の側面に水道水開関バルブ等への出水口を有する分岐管の水道水入水口の内螺と水道水供給管の外螺との螺合内部空間に、筒状の水道水流通路孔を設け、前記水道水流通路孔の入水先端に逆止弁受け座を設け、前記逆止弁受け座に球又は板状の逆止弁を装填して逆流を防止することを特徴とした逆流防止弁付分岐管。
【発明の詳細な説明】
【技術分野】
【０００１】  水道管より分岐して水道水（以下水，又は原水とも称す）を導入する原水入水口，原水を出水する原水出水口，を有した水管より分岐した出水口を有した分岐管に関する。
【背景技術】
【０００２】  現在このような逆流防止弁付分岐管は市場にない。
【発明の開示】
【発明が解決しようとする課題】
【０００３】  水道水を導入して他の器具（熱処理器、浄水器等）へ給水する場合には逆流防止弁（以下逆止弁とも称す）が必要であるが資材が多く必要となり、分岐管も長く、あるいは高くなるためにコストの点等からか市場に見られない。
【課題を解決するための手段】
【０００４】  分岐管の原水入水口内螺と水道水供給管の外螺との螺合内部に逆止弁装置を設ける。
【発明の効果】
【０００５】  器具より水道管側への逆流入を阻止する。
【発明を実施するための最良の形態】
【０００６】  水道水を供給する水管のネジと螺合する水道水入水口、水道水を出水する水道水出水口、前記水道水入水口と水道水出水口との間の側面に水道水開関バルブ等への出水口を有する分岐管の水道水入水口の内螺と水道水供給管の外螺との螺合内部空間に、筒状の水道水流通路孔を設け、前記水道水流通路孔の入水先端に逆止弁受け座を設け、前記逆止弁受け座に球又は板状の逆止弁を装填して逆流を防止することを特徴とした逆流防止弁付分岐管。
【実施例１】
【０００７】  図１０及び図１４を参照して逆止弁を用いた実施例を、防水用シール材及びパッキン等は省略して説明する。
図１０の分岐管２は水供給栓６と螺合して入水しており、分岐出水口５には球コックバルブを開口して、浄水器、熱水器等に給水しており、逆止弁（球）は水を流通している。蛇口を開口すれば、水は蛇口フレキ１２を経て、図上の蛇口より出水する。この時図示していないが、水供給栓６側が負圧となった時には図１０に示す如く逆止弁球８は水入水口７−３にて逆流を阻止して逆止弁を果たす。
【産業上の利用可能性】
【０００８】  水道法の条文でうたわれた逆止弁を増設した分岐水管である。
【図面の簡単な説明】
【０００９】
【図１】  主体外観図
【図２】  主体外観図
【図３】  主体正面図
【図４】  主体裏面図
【図５】  主体右側面図
【図６】  主体平面図
【図７】  主体底面図
【図８】  図３に示すＡ−Ａ線上断面図
【図９】  水供給栓と主体との螺合断面図
【図１０】  水流通路孔と逆止弁乱走防止部品とを中にした主体断面図
【図１１】  図１０同様（箱板状逆止弁）断面図
【図１２】  図１１同様、右側に水流通路孔三体断面図
【図１３】  主体と袋ナットと主体に螺合した水流通路孔と球コック断面図．右側に水流通路孔三体断面図
【図１４】  水道水供給栓、主体、蛇口フレキ蛇口の説明用断面図
【符号の説明】
【００１０】１  水道水、原水、水
２  逆止分岐管主体、主体とも称す
２−１  分岐管主体螺合時の取り付け用６角部
２‐２  ６角部内側内ネジ
２−１−１  袋ナット
３  水道水入水口、水入水口
４  水道水出水口、水出水口
５  分岐出水口
６  水道水供給管、水供給管
６−１  水供給管外ネジ部
７  水通路孔、水流通管、水道水流通路孔
７−１  逆止弁受け座
７−２  入水先端口
７−３  逆止弁乱走防止部品
７−４  主体との螺合部
７−５  固定リングヒダ部
７−６  主体との螺合部
８  球状逆止弁
８−１  箱板状弁止弁
９  球コックバルブ
９−１  コックツマミ
１０  蛇口、バルブ
１１  熱水器、浄水器等水処理器
１２  蛇口フレキ
【図１】
2016031145.tif 000003
【図２】
2016031145.tif 000004
【図３】
2016031145.tif 000005
【図４】
2016031145.tif 000006
【図５】
2016031145.tif 000007
【図６】
2016031145.tif 000008
【図７】
2016031145.tif 000009
【図８】
2016031145.tif 000010
【図９】
2016031145.tif 000011
【図１０】
2016031145.tif 000012
【図１１】
2016031145.tif 000013
【図１２】
2016031145.tif 000014
【図１３】
2016031145.tif 000015
【図１４】
2016031145.tif 000016